(57)【要約】  移動通信システムは、第１カバレッジと前記第１カバレッジよりも拡張された部分である第２カバレッジとを有するセルを管理する無線基地局と、互いに宛先無線端末が異なる複数のデータを前記無線基地局から受信し、前記第２カバレッジ内の複数の無線端末に対して前記複数のデータを一斉送信する無線中継ノードと、前記第２カバレッジ内に位置し、前記無線中継ノードを介さずに前記無線基地局から１又は複数の制御信号を受信する無線端末と、を備える。前記無線端末は、前記１又は複数の制御信号に基づいて、前記無線端末宛てのデータを前記無線中継ノードから受信するための処理を行う。
2019230583.tif 000002
【特許請求の範囲】
【請求項１】
第１カバレッジと前記第１カバレッジよりも拡張された部分である第２カバレッジとを有するセルを管理する無線基地局と、
互いに宛先無線端末が異なる複数のデータを前記無線基地局から受信し、前記第２カバレッジ内の複数の無線端末に対して前記複数のデータを一斉送信する無線中継ノードと、
前記第２カバレッジ内に位置し、前記無線基地局又は前記無線中継ノードから送信される１又は複数の制御信号を受信し、前記１又は複数の制御信号に基づいて、自無線端末宛てのデータを前記無線中継ノードから受信するための処理を行う無線端末と、を備える
移動通信システム。
【請求項２】
前記無線端末は、前記無線中継ノードを介さずに前記無線基地局から前記１又は複数の制御信号を受信する
請求項１に記載の移動通信システム。
【請求項３】
前記１又は複数の制御信号は、前記無線中継ノードがデータの一斉送信に用いる無線リソースに関するリソース情報を含む
請求項１に記載の移動通信システム。
【請求項４】
前記無線端末は、前記１又は複数の制御信号に基づいて、前記無線中継ノードが送信する発見用信号に対するサーチを行う
請求項２に記載の移動通信システム。
【請求項５】
前記１又は複数の制御信号は、前記無線中継ノードに関する識別子を含み、
前記無線中継ノードは、前記識別子を含む前記発見用信号を送信し、
前記無線端末は、前記１又は複数の制御信号に含まれる前記識別子に基づいて前記サーチを行う
請求項４に記載の移動通信システム。
【請求項６】
前記１又は複数の制御信号は、前記無線中継ノードが前記発見用信号の送信に用いる無線リソースに関するリソース情報を含み、
前記無線中継ノードは、前記無線リソースを用いて前記発見用信号を送信し、
前記無線端末は、前記１又は複数の制御信号に含まれる前記リソース情報に基づいて前記サーチを行う
請求項４に記載の移動通信システム。
【請求項７】
前記無線端末は、前記サーチによって前記無線中継ノードを発見したと判断した場合に、前記無線中継ノードに関する通知を前記無線基地局に送信する
請求項４に記載の移動通信システム。
【請求項８】
前記無線端末は、前記無線中継ノードを発見した後、前記無線中継ノードと前記無線端末との間の無線状態に関する情報を前記無線基地局に送信する
請求項１に記載の移動通信システム。
【請求項９】
前記無線端末は、前記無線状態の劣化を検知したことに応じて、前記無線状態の劣化を示す情報を前記無線基地局に送信する
請求項８に記載の移動通信システム。
【請求項１０】
前記無線基地局は、前記無線状態の劣化に応じて、前記無線中継ノードを介する中継送信から、前記無線中継ノードを介さない直接送信に切り替えて、前記無線端末宛てのデータを送信する
請求項８に記載の移動通信システム。
【請求項１１】
前記１又は複数の制御信号は、前記無線端末に発見用信号を送信させるための情報を含み、
前記無線端末は、前記１又は複数の制御信号の受信に応じて前記発見用信号を送信し、
前記無線中継ノードは、前記発見用信号を前記無線端末から受信した場合に、前記無線基地局に対する通知を行う
請求項２に記載の移動通信システム。
【請求項１２】
第１カバレッジと前記第１カバレッジよりも拡張された部分である第２カバレッジとを有するセルを管理する無線基地局と、互いに宛先無線端末が異なる複数のデータを前記無線基地局から受信し、前記第２カバレッジ内の複数の無線端末に対して前記複数のデータを一斉送信する無線中継ノードと、を有する移動通信システムにおける無線端末であって、
前記無線端末が前記第２カバレッジ内に位置する場合において、前記無線基地局又は前記無線中継ノードから送信される１又は複数の制御信号を受信する処理と、前記１又は複数の制御信号に基づいて、前記無線端末宛てのデータを前記無線中継ノードから受信するための処理とを行う制御部と、を備える
無線端末。
【発明の詳細な説明】
【技術分野】
【０００１】
本開示は、移動通信システム及び無線端末に関する。
【背景技術】
【０００２】
近年、人が介在することなく通信を行うＭＴＣ（Ｍａｃｈｉｎｅ  Ｔｙｐｅ  Ｃｏｍｍｕｎｉｃａｔｉｏｎ）及びＩｏＴ（Ｉｎｔｅｒｎｅｔ  ｏｆ  Ｔｈｉｎｇｓ）サービスを対象とした無線端末が注目されている。このような無線端末は、低コスト化、カバレッジ拡張、及び低消費電力化を実現することが求められる。【０００３】
このため、３ＧＰＰ（３ｒｄ  Ｇｅｎｅｒａｔｉｏｎ  Ｐａｒｔｎｅｒｓｈｉｐ  Ｐｒｏｊｅｃｔ）において、システム送受信帯域の一部のみに送受信帯域幅を制限した新たな無線端末のカテゴリが仕様化されている。かかる無線端末には、繰り返し送信（ｒｅｐｅｔｉｔｉｏｎ）等を含むカバレッジ拡張機能が適用される。【０００４】
カバレッジ拡張機能により拡張された部分である拡張カバレッジは、通常のカバレッジに比べて、下りリンクの受信信号電力が非常に低い領域である。このため、コストの増大を抑制しつつ、拡張カバレッジ内に位置する無線端末に対するデータの到達性を改善する技術の実現が望まれる。
【発明の開示】
【０００５】
本開示に係る移動通信システムは、第１カバレッジと前記第１カバレッジよりも拡張された部分である第２カバレッジとを有するセルを管理する無線基地局と、互いに宛先無線端末が異なる複数のデータを前記無線基地局から受信し、前記第２カバレッジ内の複数の無線端末に対して前記複数のデータを一斉送信する無線中継ノードと、前記第２カバレッジ内に位置し、前記無線基地局又は前記無線中継ノードから送信される１又は複数の制御信号を受信し、前記１又は複数の制御信号に基づいて、自無線端末宛てのデータを前記無線中継ノードから受信するための処理を行う無線端末と、を備える。
【図面の簡単な説明】
【０００６】
【図１】実施形態に係る移動通信システムの構成を示す図である。
【図２】実施形態に係る周波数チャネルを示す図である。
【図３】実施形態に係るＵＥ（無線端末）の構成を示す図である。
【図４】実施形態に係るｅＮＢ（無線基地局）の構成を示す図である。
【図５】実施形態に係るＲＮ（無線中継ノード）の構成を示す図である。
【図６】実施形態に係るプロトコルスタックの一例を示す図である。
【図７】実施形態に係る移動通信システムの動作を示す図である。
【図８】実施形態に係る移動通信システムの動作の変更例を示す図である。
【発明を実施するための形態】
【０００７】
図面を参照しながら、一実施形態に係る移動通信システムについて説明する。以下の図面の記載において、同一又は類似の部分には同一又は類似の符号を付している。
【０００８】
＜１．移動通信システムの構成＞
本実施形態に係る移動通信システムの構成について説明する。本実施形態に係る移動通信システムは、３ＧＰＰ規格に基づくＬＴＥ（Ｌｏｎｇ  Ｔｅｒｍ  Ｅｖｏｌｕｔｉｏｎ）システムである。但し、ＬＴＥシステムに限定されるものではなく、３ＧＰＰ規格に基づく第５世代（５Ｇ）移動通信システムであるＮＲシステムであってもよい。
【０００９】
図１は、本実施形態に係る移動通信システム１の構成を示す図である。図１に示すように、移動通信システム１は、無線端末（ＵＥ：Ｕｓｅｒ  Ｅｑｕｉｐｍｅｎｔ）１００と、無線基地局（ｅＮＢ：ｅｖｏｌｖｅｄ  Ｎｏｄｅ−Ｂ）２００と、無線中継ノード（ＲＮ：Ｒｅｌａｙ  Ｎｏｄｅ）３００と、コアネットワーク（ＥＰＣ：Ｅｖｏｌｖｅｄ  Ｐａｃｋｅｔ  Ｃｏｒｅ）４００とを備える。なお、図１において２つのＵＥ１００−１及びＵＥ１００−２を例示しているが、ＵＥ１００の数は２よりも多くてもよい。
【００１０】
ＵＥ１００は、ｅＮＢ２００との無線通信を行う移動可能な無線通信装置である。本実施形態において、ＵＥ１００は、ＲＮ３００を介してｅＮＢ２００との通信を行うことが可能である。ＵＥ１００は、ｅＮＢ２００又はＲＮ３００との無線通信を行う装置であればどのような装置であっても構わないが、例えば、ＵＥ１００は、携帯電話端末やタブレット端末、ノートＰＣ、センサ若しくはセンサに設けられる装置、車両若しくは車両に設けられる装置である。
【００１１】
本実施形態において、ＵＥ１００は、ＭＴＣ及びＩｏＴサービスを対象としたカテゴリに属する。具体的には、ＵＥ１００は、システム送受信帯域（ＬＴＥ送受信帯域幅）の一部のみに送受信帯域幅が制限される。かかるカテゴリ（ＵＥカテゴリ）は、例えば、カテゴリＭ１及びカテゴリＮＢ（Ｎａｒｒｏｗ  Ｂａｎｄ）−ＩｏＴと称される。カテゴリＭ１は、ｅＭＴＣ（ｅｎｈａｎｃｅｄ  Ｍａｃｈｉｎｅ  Ｔｙｐｅ  Ｃｏｍｍｕｎｉｃａｔｉｏｎｓ）ＵＥが属するカテゴリである。カテゴリＮＢ−ＩｏＴ（カテゴリＮＢ１）は、ＮＢ−ＩｏＴ  ＵＥが属するカテゴリである。カテゴリＭ１は、ＵＥ１００（ｅＭＴＣ  ＵＥ）の送受信帯域幅を例えば１．０８ＭＨｚ（すなわち、６リソースブロックの帯域幅）に制限する。カテゴリＮＢ−ＩｏＴ（カテゴリＮＢ１）は、ＵＥ１００（ＮＢ−ＩｏＴ  ＵＥ）の送受信帯域幅を１８０ｋＨｚ（すなわち、１リソースブロックの帯域幅）にさらに制限する。このような狭帯域化により、ｅＭＴＣ  ＵＥ及びＮＢ−ＩｏＴ  ＵＥに要求される低コスト化及び低消費電力化が実現可能となる。
【００１２】
図２は、本実施形態に係るＵＥ１００が取り扱う周波数チャネルを示す図である。図２に示すように、移動通信システム１のシステム周波数帯域の周波数帯域幅は１０ＭＨｚであり得る。システム送受信帯域の帯域幅は、例えば、５０リソースブロック＝９ＭＨｚである。ｅＭＴＣ  ＵＥが対応可能な周波数チャネルの帯域幅は、６リソースブロック＝１．０８ＭＨｚ以内である。ｅＭＴＣ  ＵＥが対応可能な６リソースブロック以内の周波数チャネルは、「狭帯域（ＮＢ：Ｎａｒｒｏｗ  Ｂａｎｄ）」と称される。ＮＢ−ＩｏＴ  ＵＥが対応可能な周波数チャネルの帯域幅は、１リソースブロック＝１８０ｋＨｚである。ＮＢ−ＩｏＴ  ＵＥが対応可能な１リソースブロックの周波数チャネルは、「キャリア（ｃａｒｒｉｅｒ）」と称される。ｅＭＴＣ  ＵＥは、ＬＴＥ送受信帯域幅内で運用される。ＮＢ−ＩｏＴ  ＵＥは、ＬＴＥ送受信帯域幅内で運用される形態、ＬＴＥ送受信帯域幅外のガードバンドで運用される形態、及びＮＢ−ＩｏＴ専用の周波数帯域内で運用される形態をサポートする。
【００１３】
また、ＵＥ１００は、カバレッジ拡張を実現するために、繰り返し送信等を用いた拡張カバレッジ（ＥＣ：Ｅｎｈａｎｃｅｄ  Ｃｏｖｅｒａｇｅ）機能をサポートする。なお、拡張カバレッジは、ＣＥ（Ｃｏｖｅｒａｇｅ  Ｅｎｈａｎｃｅｍｅｎｔ）と称されることもある。カバレッジ拡張機能は、複数のサブフレームを用いて同一信号を繰り返し送信する繰り返し送信（ｒｅｐｅｔｉｔｉｏｎ）を含んでもよい。繰り返し送信の回数が多いほど、カバレッジを拡張することができる。カバレッジ拡張機能は、送信信号の電力密度を上げる電力ブースト（ｐｏｗｅｒ  ｂｏｏｓｔｉｎｇ）を含んでもよい。一例として、送信信号の周波数帯域幅を狭くする狭帯域送信により電力密度を上げる。送信信号の電力密度を上げるほど、カバレッジを拡張することができる。カバレッジ拡張機能は、送信信号に用いるＭＣＳを下げる低ＭＣＳ（ｌｏｗｅｒ  ＭＣＳ）送信を含んでもよい。データレートが低く、誤り耐性の高いＭＣＳを用いて送信を行うことにより、カバレッジを拡張することができる。
【００１４】
図１に示すように、ＵＥ１００（ＵＥ１００−１及びＵＥ１００−２）は、ｅＮＢ２００の拡張カバレッジ内に位置する。ＵＥ１００は、ノーマルカバレッジのための第１セル選択基準（第１のＳ−ｃｒｉｔｅｒｉａ）が満たされず、拡張カバレッジのための第２セル選択基準（第２のＳ−ｃｒｉｔｅｒｉａ）が満たされた場合、自身が拡張カバレッジ内に位置すると判定してもよい。「拡張カバレッジ内に位置するＵＥ」とは、セルにアクセスするためにカバレッジ拡張機能（拡張カバレッジモード）を用いることが必要とされるＵＥを意味してもよい。
【００１５】
ｅＮＢ２００は、固定型の通信装置である。ｅＮＢ２００は、セルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。また、「セル」は、ＵＥ１００との無線通信を行う機能又はリソースを示す用語としても用いられることがある。１つのセルは１つのキャリア周波数に属する。
【００１６】
ｅＮＢ２００は、ＥＰＣ４００に接続される。ＥＰＣ４００は、図示を省略するモビリティ管理エンティティ（ＭＭＥ）及びサービングゲートウェイ（Ｓ−ＧＷ）を含む。ＭＭＥは、ＵＥ１００に対する各種モビリティ制御等を行う。Ｓ−ＧＷは、データの転送制御を行う。ＭＭＥ及びＳ−ＧＷは、Ｓ１インターフェイスを介してｅＮＢ２００と接続される。
【００１７】
ＲＮ３００は、ｅＮＢ２００とＵＥ１００との間の通信に介在し、この通信に対する中継を行う装置（中継ノード）である。ＲＮ３００は、ｅＮＢ２００のノーマルカバレッジ内に位置する。図１の例において、ＲＮ３００は、ｅＮＢ２００のノーマルカバレッジの端部に位置している。ＲＮ３００は、セル（ＲＮカバレッジ）を管理する。ＲＮ３００が管理するセルのセルＩＤは、ドナーであるｅＮＢ２００のセルのセルＩＤと同じであってもよいし、異なっていてもよい。本実施形態において、ＲＮ３００が管理するセルのセルＩＤがｅＮＢ２００のセルのセルＩＤと異なると仮定して説明を進める。
【００１８】
ＲＮ３００は、ＵＥ１００がＲＮ３００を発見するための発見用信号を拡張カバレッジ向けに送信（ブロードキャスト）していてもよい。発見用信号は、ＲＮ３００のセルＩＤ（ＰＣＩ：Ｐｈｙｓｉｃａｌ  Ｃｅｌｌ  Ｉｄｅｎｔｉｆｉｅｒ）に対応する同期信号や参照信号である。なお、同期信号を構成するＰＳＳ（Ｐｒｉｍａｒｙ  Ｓｙｎｃｈｒｏｎｉｚａｔｉｏｎ  Ｓｉｇｎａｌ）及びＳＳＳ（Ｓｅｃｏｎｄｌｙ  Ｓｙｎｃｈｒｏｎｉｚａｔｉｏｎ  Ｓｉｇｎａｌ）の組み合わせによりセルＩＤが特定される。或いは、発見用信号は、ＲＮ３００の識別子を含む無線信号（ビーコン信号等）であってもよい。
【００１９】
ＲＮ３００は、互いに宛先ＵＥが異なる複数のデータをｅＮＢ２００から受信する。ｅＮＢ２００からＲＮ３００への下りリンク送信はユニキャスト（Ｕｎｉｃａｓｔ  Ｄｏｗｎｌｉｎｋ）により行われる。ＲＮ３００は、ｅＮＢ２００から受信したデータに対して物理レイヤでの処理のみを行う。かかるＲＮ３００は、レイヤ１中継ノード（Ｌ１  ＲＮ）と称されることがある。但し、ＲＮ３００は、ｅＮＢ２００から受信したデータに対してＭＡＣレイヤ以上での処理をさらに行ってもよい。ＲＮ３００は、拡張カバレッジ内の複数のＵＥ１００に対して複数のデータを一斉送信する。以下において、かかる一斉送信をマルチユーザ・ブロードキャスト（Ｍｕｌｔｉｕｓｅｒ  Ｂｒｏａｄｃａｓｔ）と称する。なお、ＲＮ３００は、拡張カバレッジ内の複数のＵＥ１００に対して複数のデータを一斉送信するだけでなく、拡張カバレッジ内の一つのＵＥ１００に対して１又は複数のデータを送信することとしてもよい。
【００２０】
マルチユーザ・ブロードキャストにおいて、ＲＮ３００は、ｅＮＢ２００から受信した下りリンク信号をマルチユーザ・ブロードキャストにより再送信する。マルチユーザ・ブロードキャスト送信には、複数ユーザのデータが含まれている。各ＵＥ１００は、ＲＮ３００から同じ送信を受信するが、その後、それぞれのＵＥ１００固有のデータ（ＵＥ固有データ）を復号する。
【００２１】
マルチユーザ・ブロードキャスト送信において、各ＵＥ１００のデータに適用されるトランスポートフォーマット（トランスポートブロックサイズ、変調・符号化方式（ＭＣＳ））は共通とすることができる。マルチユーザ・ブロードキャストでは、ＵＥ１００からのフィードバックに基づくリンクアダプテーション（チャネル認識スケジューリング）が使用されない。このため、複雑さが低減され、ＲＮ３００の送信機及びＵＥ１００の受信機の両方が低コストで済む。
【００２２】
マルチユーザ・ブロードキャスト内のＵＥ固有データのリソース割当は、周波数分割多重（ＦＤＭ）、時分割多重（ＴＤＭ）、空間分割多重（ＳＤＭ）、又は符号分割多重（ＣＤＭ）に基づくことができる。本実施形態において、ＲＮ３００からＵＥ１００へのマルチユーザ・ブロードキャスト送信は、ＦＤＭベース（ＵＥのデータには直交周波数リソースが割り当てられる）である。
【００２３】
但し、ｅＭＴＣ  ＵＥ、ＮＢ−ＩｏＴ  ＵＥは、狭帯域受信機を使用する。よって、ＵＥ１００は、自身のデータを受信するために帯域幅の特定の部分のみを監視するように、周波数リソースが割り当てられる。例えば、ＵＥ１００−１は先頭１２個のサブキャリアを監視するように割り当てられ、ＵＥ１００−２は次の１２個のサブキャリアを監視するように割り当てられる。或いは、狭帯域データがＵＥ固有のホッピングパターンを使用して周波数ホッピングによりホッピングされてもよい。
【００２４】
このように、ＲＮ３００は、拡張カバレッジ内に位置する複数のＵＥ１００のデータをｅＮＢ２００から受信し、当該複数のＵＥ１００のデータをマルチユーザ・ブロードキャストにより一斉送信する。これにより、拡張カバレッジ内に位置する各ＵＥ１００は、良好な受信状態でデータを受信できるため、ｅＮＢ２００からＵＥ１００へのデータの到達性を改善できる。また、マルチユーザ・ブロードキャストは、ＲＮ３００とＵＥ１００との間の複雑な通信制御を必要としないため、低コストで実現可能である。
【００２５】
＜２．各装置の構成＞
本実施形態に係るＵＥ１００、ｅＮＢ２００、及びＲＮ３００の構成について説明する。
【００２６】
図３は、ＵＥ１００（無線端末）の構成を示す図である。図３に示すように、ＵＥ１００は、受信部１１０と、送信部１２０と、制御部１３０とを備える。
【００２７】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００２８】
制御部１３０は、ＵＥ１００における各種の制御を行う。制御部１３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）とを含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００２９】
図４は、ｅＮＢ２００（無線基地局）の構成を示す図である。図４に示すように、ｅＮＢ２００は、送信部２１０と、受信部２２０と、制御部２３０と、バックホール通信部２４０とを備える。
【００３０】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００３１】
制御部２３０は、ｅＮＢ２００における各種の制御を行う。制御部２３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵとを含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００３２】
バックホール通信部２４０は、Ｘ２インターフェイスを介して隣接ｅＮＢと接続される。バックホール通信部２４０は、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００３３】
図５は、ＲＮ３００（無線中継ノード）の構成を示す図である。図５に示すように、ＲＮ３００は、受信部３１０と、送信部３２０と、制御部３３０とを備える。
【００３４】
受信部３１０は、制御部３３０の制御下で各種の受信を行う。受信部３１０は、アンテナ及び受信機を含む。受信機は、アンテナが受信する無線信号をベースバンド信号（受信信号）に変換して制御部３３０に出力する。送信部３２０は、制御部３３０の制御下で各種の送信を行う。送信部３２０は、アンテナ及び送信機を含む。送信機は、制御部３３０が出力するベースバンド信号（送信信号）を無線信号に変換してアンテナから送信する。
【００３５】
制御部３３０は、ＲＮ３００における各種の制御を行う。制御部３３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵとを含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００３６】
＜３．プロトコルスタックの一例＞
本実施形態に係るプロトコルスタックの一例について説明する。
【００３７】
図６は、移動通信システム１における無線インターフェイスのプロトコルスタックの構成を示す図である。具体的には、図６は、中継伝送時におけるプロトコルスタックを図示している。
【００３８】
図６に示すように、無線インターフェイスプロトコルは、ＯＳＩ参照モデルの第１レイヤ乃至第３レイヤに区分されている。第１レイヤは物理（ＰＨＹ）レイヤである。第２レイヤは、ＭＡＣ（Ｍｅｄｉｕｍ  Ａｃｃｅｓｓ  Ｃｏｎｔｒｏｌ）レイヤ、ＲＬＣ（Ｒａｄｉｏ  Ｌｉｎｋ  Ｃｏｎｔｒｏｌ）レイヤ、及びＰＤＣＰ（Ｐａｃｋｅｔ  Ｄａｔａ  Ｃｏｎｖｅｒｇｅｎｃｅ  Ｐｒｏｔｏｃｏｌ）レイヤを含む。第３レイヤは、ＲＲＣ（Ｒａｄｉｏ  Ｒｅｓｏｕｒｃｅ  Ｃｏｎｔｒｏｌ）レイヤを含む。
【００３９】
ＰＨＹレイヤは、符号化・復号、変調・復調、アンテナマッピング・デマッピング、及びリソースマッピング・デマッピングを行う。ＵＥ１００のＰＨＹレイヤとＲＮ３００のＰＨＹレイヤとの間では、物理チャネルを介してデータ及び制御信号が伝送される。同様に、ｅＮＢ２００のＰＨＹレイヤとＲＮ３００のＰＨＹレイヤとの間では、物理チャネルを介してデータ及び制御信号が伝送される。
【００４０】
ＭＡＣレイヤは、データの優先制御、ハイブリッドＡＲＱ（ＨＡＲＱ）による再送処理等を行う。ＵＥ１００のＭＡＣレイヤとｅＮＢ２００のＭＡＣレイヤとの間では、トランスポートチャネルを介してデータ及び制御信号が伝送される。ｅＮＢ２００のＭＡＣレイヤはスケジューラを含む。スケジューラは、上下リンクのトランスポートフォーマット（トランスポートブロックサイズ、ＭＣＳ）及びＵＥ１００への割当リソースブロックを決定する。
【００４１】
ＲＬＣレイヤは、ＭＡＣレイヤ及びＰＨＹレイヤの機能を利用してデータを受信側のＲＬＣレイヤに伝送する。ＵＥ１００のＲＬＣレイヤとｅＮＢ２００のＲＬＣレイヤとの間では、論理チャネルを介してデータ及び制御信号が伝送される。
【００４２】
ＰＤＣＰレイヤは、ヘッダ圧縮・伸張、及び暗号化・復号化を行う。
【００４３】
ＲＲＣレイヤは、制御信号を取り扱う制御プレーンでのみ定義される。ＵＥ１００のＲＲＣレイヤとｅＮＢ２００のＲＲＣレイヤとの間では、各種設定のためのＲＲＣシグナリングが伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードである。ＵＥ１００のＲＲＣとｅＮＢ２００のＲＲＣとの間に接続（ＲＲＣ接続）がない場合、ＵＥ１００はＲＲＣアイドルモードである。
【００４４】
なお、図６において、ＲＮ３００は、それぞれＵＥ１００及びｅＮＢ２００とはＰＨＹレイヤを介して接続されており、それ以外のレイヤでは、接続されていない。つまり、ＲＮ３００は、ＵＥ１００及びｅＮＢ２００との間を中継するデータをＰＨＹレイヤにおいてのみ処理し、それ以外のレイヤ（ＭＡＣレイヤ等）では処理しない。
【００４５】
また、ＲＮ３００は、ＰＨＹレイヤのみを有していてもよいし、それ以外の上位レイヤ（ＭＡＣレイヤ、ＲＬＣレイヤ、及びＰＤＣＰレイヤ、ＲＲＣレイヤ）を有していてもよい。但し、仮に、ＲＮ３００は、上位レイヤを有していても、上位レイヤにおいてＵＥ１００及びｅＮＢ２００とは接続しない。
【００４６】
＜４．移動通信システムの動作＞
本実施形態に係る移動通信システム１の動作について説明する。上述したように、マルチユーザ・ブロードキャストは低コストで実現可能であるものの、ＵＥ１００とＲＮ３００との間に物理チャネルしか存在せず、ＲＮ３００は、ＵＥ１００がＲＮ３００からデータ受信を開始及び／又は終了等するための制御を適切に行うことが難しい。
【００４７】
よって、本実施形態において、ｅＮＢ２００は、マルチユーザ・ブロードキャストに関する制御をＵＥ１００に対して行う。具体的には、ｅＮＢ２００は、マルチユーザ・ブロードキャストに関する制御信号をＵＥ１００に対して直接的に（ＲＮ３００を介さずに）送信する。ＵＥ１００は、かかる制御信号に基づいて、ＲＮ３００からマルチユーザ・ブロードキャストにより送信されるデータを受信するための処理を行う。
【００４８】
本実施形態において、ｅＮＢ２００からＵＥ１００に送信される制御信号が、ＲＲＣレイヤの仕様において規定されたシグナリング（すなわち、ＲＲＣシグナリング）である一例について説明する。ＲＲＣシグナリングは、ブロードキャストで送信されるシステム情報ブロック（ＳＩＢ）であってもよいし、ユニキャストで送信されるＲＲＣ再設定メッセージであってもよい。或いは、制御信号は、ページングメッセージであってもよい。
【００４９】
図７は、本実施形態に係る移動通信システム１の動作を示す図である。図７において、ＵＥ１００はｅＮＢ２００の拡張カバレッジ内に位置する。ＵＥ１００は、ＲＲＣコネクティッドモードであってもよいし、ＲＲＣアイドルモードであってもよい。なお、ＵＥ１００がＲＲＣアイドルモードにある場合、ｅＮＢ２００からの制御信号としてＳＩＢを受信してもよい。
【００５０】
図７に示すように、ステップＳ１０１において、ｅＮＢ２００は、ＵＥ１００がＲＮ３００を発見（サーチ）するために用いる制御信号をＵＥ１００に送信する。なお、ここでいう送信は、ブロードキャストを意味してもよい。また、ｅＮＢ２００は、制御信号を、定期的（周期的）又は不定期に送信してもよい。制御信号は、ＲＮ３００に関する識別子を含んでもよい。ＲＮ３００に関する識別子は、セルＩＤであってもよいし、セルＩＤとは異なる識別子であってもよい。制御信号は、ＲＮ３００が発見用信号の送信に用いる無線リソース（時間・周波数リソース）を示すリソース情報を含んでもよい。或いは、制御信号は、ＲＮ３００のサーチ開始を単にＵＥ１００に指示するための情報を含んでもよい。ＵＥ１００は、ｅＮＢ２００から制御信号を受信する。また、制御信号は、ＵＥ１００がＲＮ３００の発見（サーチ）を開始する条件を含んでもよい。当該条件は、例えば、ＵＥ１００が属するｅＮＢ２００から送信される信号の受信強度が所定閾値以下であることを含む。なお、この条件は、ＵＥ１００が、ｅＮＢ２００の拡張カバレッジ内にいると判定する条件と同じ条件であってもよい。また、制御信号は、ステップＳ１０４において、ＵＥ１００が利用可能なＲＮ３００があると判断するＲＮ３００の条件を含んでもよい。当該条件は、例えば、ＲＮ３００から送信される発見用信号の受信信号強度が所定の閾値以上であるＲＮ３００は利用可能であると判断するために、当該閾値を含んでいてもよい。
【００５１】
ステップＳ１０２において、ＵＥ１００は、ＲＮ３００のサーチを開始する。具体的には、ＵＥ１００は、ステップＳ１０１でｅＮＢ２００から受信した制御信号に基づいて、ＵＥ１００がｅＮＢ２００の拡張カバレッジ内にいる（又はｅＮＢ２００からの信号の受信信号強度が所定閾値以下である）と判断した場合、ＲＮ３００が送信する発見用信号に対するサーチを開始する。ＵＥ１００は、当該制御信号に含まれるＲＮ３００に関する識別子に基づいて、当該識別子を含む発見用信号をサーチしてもよい。ＵＥ１００は、当該制御信号に含まれるリソース情報に基づいて、ＲＮ３００が発見用信号の送信に用いる無線リソース（時間・周波数リソース）を監視することによりサーチを行ってもよい。また、ＵＥ１００は、ステップＳ１０１において受信した制御信号に開始する条件を含む場合に、当該条件を満たした場合に、ＲＮ３００が送信する発見用信号に対するサーチを開始してもよい。
【００５２】
ステップＳ１０３において、ＵＥ１００は、ＲＮ３００が送信する発見用信号を検出（発見）する。
【００５３】
ステップＳ１０４において、ＵＥ１００は、ＲＮ３００からの発見用信号に基づいて、ＵＥ１００が利用可能なＲＮ３００があると判断する。或いは、ＵＥ１００は、過去にＲＮ３００を発見した際の位置情報を記憶し、記憶している位置情報と現在の位置情報とに基づいて自律的なサーチを行うことにより、ＵＥ１００が利用可能なＲＮ３００があると判断してもよい。かかる位置情報は、複数のセルからの受信状態を表すＲＦフィンガープリントであってもよいし、ＵＥ１００のＧＮＳＳ受信機により得られる詳細位置情報であってもよい。なお、ステップＳ１０４において、ＵＥ１００は、ステップＳ１０１において受信した制御信号にＵＥ１００が利用可能なＲＮ３００があると判断するＲＮ３００の条件を含まれている場合、当該条件に基づいて、ＵＥ１００が利用可能なＲＮ３００を判断してもよい。具体的には、例えば、ＵＥ１００は、ＵＥ１００が複数のＲＮ３００からの発見用信号を受信した場合には、当該複数の発見用信号のうち、当該条件を満たすＲＮ３００をＵＥ１００が利用可能なＲＮ３００と判断してもよい。
【００５４】
または、ＵＥ１００が利用可能なＲＮ３００を判断する代わりに、ｅＮＢ２００が利用可能なＲＮ３００を判断してもよい。その場合、ステップＳ１０４を省略してもよく、ＵＥ１００は、ステップＳ１０５では、ＲＮ３００を用いた中継伝送が可能であることをｅＮＢ２００に通知する代わりに、ＲＮ３００から受信した発見用信号の測定結果又は受信した発見用信号に対応するＲＮ３００の識別子を送信してもよい。その場合、ｅＮＢ２００は、ＵＥ１００から受信した測定結果に基づいて、ＵＥ１００が利用可能なＲＮ３００を判断してもよい。
【００５５】
ステップＳ１０５において、ＵＥ１００は、ＲＮ３００を用いた中継伝送が可能であることをｅＮＢ２００に通知する。この通知は、ＵＥ１００が属するＲＮ３００又はＲＮ３００のカバレッジをｅＮＢ２００に登録するものであるとみなすこともできる。或いは、この通知は、中継伝送の開始要求とみなすこともできる。ＵＥ１００は、ＲＮ３００からの発見用信号に含まれる識別子を含む測定報告をｅＮＢ２００に送信することにより、かかる通知を行ってもよい。なお、ＵＥ１００が複数のＲＮ３００からの発見用信号を受信した場合には、測定報告には、当該複数のＲＮ３００に対応する複数の識別子を含んでいてもよい。若しくは、測定報告には、発見用信号の受信電力が最も高いＲＮ３００の識別子のみを含んでいてもよい。なお、測定報告は、ＲＲＣシグナリングの一種である。ＵＥ１００は、測定報告以外のＲＲＣシグナリングにより、かかる通知を行ってもよい。或いは、ＵＥ１００は、ＲＮ３００を介してｅＮＢ２００に通知を送信してもよい。例えば、ＵＥ１００は、物理チャネルによってＲＮ３００に通知を送信し、ＲＮ３００が当該通知をｅＮＢ２００に中継してもよい。ｅＮＢ２００は、ＵＥ１００からの通知に基づいて、ＵＥ１００に対する中継伝送を開始すると判断する。ｅＮＢ２００は、ＵＥ１００から通知を受信した後、ＥＰＣ４００からＵＥ１００宛てのデータを受信した場合に、ＵＥ１００に対する中継伝送を開始すると判断してもよい。
【００５６】
ステップＳ１０６において、ｅＮＢ２００は、中継伝送の開始を示す制御信号をＵＥ１００に送信する。ｅＮＢ２００は、制御信号を、ＲＮ３００を介してＵＥ１００に送信してもよいし、直接、ＵＥ１００に送信してもよい。制御信号は、ＲＮ３００がマルチユーザ・ブロードキャストに用いる無線リソース（時間・周波数リソース）を示すリソース情報を含んでもよい。具体的には、かかるリソース情報は、マルチユーザ・ブロードキャストに用いる物理下りリンク制御チャネルのリソース（時間・周波数リソース）を示す情報（例えば、リソースブロック番号）であってもよい。かかるリソース情報は、マルチユーザ・ブロードキャストに用いる物理下りリンク制御チャネルの繰り返し送信回数（Ｒｅｃｅｐｔｉｏｎ回数）又は最大繰り返し送信回数（最大Ｒｅｃｅｐｔｉｏｎ回数）を示す情報を含んでもよい。かかる物理下りリンク制御チャネルは、６リソースブロックの帯域幅以下のＭＰＤＣＣＨ（ＭＴＣ  Ｐｈｙｓｉｃａｌ  Ｄｏｗｎｌｉｎｋ  Ｃｏｎｔｒｏｌ  Ｃｈａｎｎｅｌ）であってもよいし、１リソースブロックの帯域幅からなるＮＰＤＣＣＨ（Ｎａｒｒｏｗｂａｎｄ  Ｐｈｙｓｉｃａｌ  Ｄｏｗｎｌｉｎｋ  Ｃｏｎｔｒｏｌ  Ｃｈａｎｎｅｌ）であってもよい。ＵＥ１００は、当該制御信号に含まれるリソース情報に基づいて、マルチユーザ・ブロードキャストに用いる物理下りリンク制御チャネルの監視を開始する。
【００５７】
ステップＳ１０７において、ｅＮＢ２００は、ＵＥ１００宛てのデータをユニキャストでＲＮ３００に送信する。ｅＮＢ２００は、複数のＵＥのそれぞれの識別子と当該識別子のＵＥ宛てのＵＥ固有データとを対応付けて、ＵＥ１００宛てのデータをＲＮ３００に送信してもよい。なお、ｅＮＢ２００は、ステップＳ１０６においてマルチユーザ・ブロードキャストに用いる無線リソースを示すリソース情報をＵＥ１００に通知した場合、ステップＳ１０７、ステップＳ１０６の後又はステップＳ１０８の前に、当該リソース情報をＲＮ３００に通知してもよい。そうすれば、ＲＮ３００は、ｅＮＢ２００から受信したリソース情報に示されるリソースを使用して、マルチユーザ・ブロードキャストを行ってもよい。
【００５８】
ステップＳ１０８において、ＲＮ３００は、ｅＮＢ２００から受信したデータをマルチユーザ・ブロードキャストにより送信（転送）する。具体的には、まず、ＲＮ３００は、データを送信する前に、マルチユーザ・ブロードキャストの送信先の各ＵＥ１００にデータ送信用の周波数リソースを割り振り、割り振った周波数リソースやＭＣＳ情報等を物理下りリンク制御チャネルにより各ＵＥ１００に通知する。なお、ここでのリソースの割り振りは、ＰＨＹレイヤでのリソース割り振りを意味し、ＭＡＣレイヤでのリソース割り振りを意味しなくてもよい。ステップＳ１０６において、ｅＮＢ２００が、ＲＮ３００がマルチユーザ・ブロードキャストに用いる無線リソースを示すリソース情報をＵＥ１００に送信した場合には、ここでの周波数リソースの割り振り及び周波数リソース等の通知を省略してもよい。ここで、データ送信用の周波数リソースは、ＰＤＳＣＨ（Ｐｈｙｓｉｃａｌ  Ｄｏｗｎｌｉｎｋ  Ｓｈａｒｅｄ  Ｃｈａｎｎｅｌ）リソースであってもよいし、ＮＤＳＣＨ（Ｎａｒｒｏｗｂａｎｄ  Ｄｏｗｎｌｉｎｋ  Ｓｈａｒｅｄ  Ｃｈａｎｎｅｌ）リソースであってもよい。そして、ＲＮ３００は、各ＵＥ１００に割り振った周波数リソースを用いて各ＵＥ１００にデータを一斉送信する。ＵＥ１００は、物理下りリンク制御チャネルにより通知された周波数リソースに含まれる自身宛のデータを受信して復号する。
【００５９】
なお、ＵＥ１００は、ＲＮ３００を発見した後、ＲＮ３００とＵＥ１００との間の無線状態（例えば、参照信号受信電力）に関する情報をｅＮＢ２００に送信する。ＵＥ１００は、かかる情報を測定報告に含めてｅＮＢ２００に送信してもよい。ＵＥ１００は、ＲＮ３００に関する識別情報を測定設定に含めてもよい。測定報告に関する設定である測定設定は、ステップＳ１０１においてＵＥ１００に設定されてもよいし、ステップＳ１０６においてＵＥ１００に設定されてもよいし、ステップＳ１０７及びＳ１０８においてＲＮ３００経由でＵＥ１００に設定されてもよい。
【００６０】
その後、ステップＳ１０９において、ＵＥ１００は、ＲＮ３００とＵＥ１００との間の無線状態の劣化を検知する。例えば、ＵＥ１００は、ＲＮ３００から送信される発見用信号又はデータを正常に受信できなくなった場合に、無線状態が劣化したと判断してもよい。ＵＥ１００は、ＲＮ３００からの発見用信号（特に、参照信号）の受信電力が閾値を下回った場合に、無線状態が劣化したと判断してもよい。閾値は、上述した測定設定により設定されてもよい。
【００６１】
ステップＳ１１０において、ＵＥ１００は、ＲＮ３００とＵＥ１００との間の無線状態の劣化を検知したことに応じて、無線状態の劣化を示す情報をｅＮＢ２００に通知する。この通知は、ＲＮ３００の登録を解除するものであるとみなすこともできる。或いは、この通知は、中継伝送の中止要求とみなすこともできる。ＵＥ１００は、ＲＮ３００に関する識別子を含む測定報告をｅＮＢ２００に送信することにより、かかる通知を行ってもよい。ＵＥ１００は、かかる通知を、ＲＮ３００を介してｅＮＢ２００に送信してもよいし、ＲＮ３００を介さずにｅＮＢ２００に送信してもよい。なお、ＵＥ１００は、ステップＳ１０９及び１１０を実行する代わりに、定期的又はｅＮＢ２００によって設定された測定条件（測定周期等）に応じて、ＲＮ３００とＵＥ１００との間の無線状態を測定し、当該測定結果を含む測定報告をｅＮＢ２００へ送信してもよい。その場合、ｅＮＢ２００は、ステップＳ１１１において、ＵＥ１００から受信した測定報告に基づいて、中継伝送を継続するか否かを判断してもよい。ｅＮＢ２００は、中継伝送を中止すると判断した場合にはステップＳ１１２を実施するか又は中継伝送を中止する旨をＵＥ１００に通知し、一方で、中継伝送を継続すると判断した場合には中継伝送を継続する。
【００６２】
ステップＳ１１１において、ｅＮＢ２００は、ＵＥ１００からの通知に基づいて、ＵＥ１００に対する中継伝送を中止すると判断する。または、ｅＮＢ２００は、ＵＥ１００からの通知（測定報告）に基づいて、ＵＥ１００との通信を中継するＲＮ３００を他のＲＮ３００に変更することで、ＵＥ１００に対する中継伝送を継続してもよい。具体的には、ｅＮＢ２００は、ＵＥ１００からの通知（測定報告）に他のＲＮ３００に関する無線状態の測定結果も含んでいる場合、無線状態が最も良い他のＲＮ３００を新たな中継先として選択し、当該他のＲＮ３００を新たな中継先とする中継伝送を開始する。
【００６３】
ステップＳ１１２において、ｅＮＢ２００は、ＲＮ３００を介する中継送信から、ＲＮ３００を介さない直接送信に切り替えて、ＵＥ１００宛てのデータをユニキャストで送信する。必要に応じて、ＵＥ１００は、ｅＮＢ２００とのデータ通信のために必要な処理（ＲＲＣ再設定又はＲＲＣ接続手順等）を実行する。
【００６４】
＜５．その他の実施形態＞
図８は、移動通信システム１の動作の変更例を示す図である。本変更例は、中継伝送（マルチユーザ・ブロードキャスト）を開始するまでの動作が上述した実施形態とは異なる。
【００６５】
図８に示すように、ステップＳ２０１において、ｅＮＢ２００は、ＵＥ１００に発見用信号を送信させるための情報を含む制御信号をＵＥ１００に送信する。なお、発見用信号を送信させるための情報とは、ＵＥ１００が発見用信号を送信するために使用するリソース、周期、契機となる条件を含んでもよい。ＵＥ１００が送信する発見用信号は、物理ランダムアクセスチャネル上で送信するランダムアクセスプリアンブルであってもよいし、サウンディング参照信号であってもよいし、ＵＥ間の直接的なリンクであるサイドリンクの仕様で規定された発見用信号であってもよい。
【００６６】
ステップＳ２０２において、ＵＥ１００は、ｅＮＢ２００からの制御信号に応じて発見用信号を送信する。ＲＮ３００は、ＵＥ１００からの発見用信号を受信する。なお、発見用信号には、ＵＥ１００の識別子（IMSI）を含んでもよい。
【００６７】
なお、ＵＥ１００は、発見用信号を、ＲＮ３００に対してユニキャストで送信するか又はブロードキャストで送信してもよい。
【００６８】
なお、ＵＥ１００は、ステップＳ２０１においてＵＥ１００が受信した制御信号に含まれるリソースを発見用信号の送信に使用してもよい。ステップＳ２０１における制御信号は、ＲＮ３００が受信してもよく、そうすれば、ＲＮ３００は、ＵＥ１００がどのリソースを用いて発見用信号を送信するのかが把握でき、ＵＥ１００からの発見用信号を受信することができる。
【００６９】
また、ＵＥ１００は、ステップＳ２０１においてｅＮＢ２００から受信した制御信号に発見用信号の送信の契機となる条件が含まれていた場合には、当該契機となる条件を満たしたことに応じて、発見用信号を送信してもよい。なお、当該条件は、ＵＥ１００が、ｅＮＢ２００の拡張カバレッジ内に位置すると判断する条件と同じ条件であってもよい。具体的には、ＵＥ１００は、ｅＮＢ２００からの信号の受信状況（受信信号強度等）が所定の閾値より小さくなった場合に契機となる条件を満たすと判断し、発見用信号を送信してもよい。
【００７０】
また、ＵＥ１００は、ＲＮ３００がブロードキャストしている信号を受信したことを契機として、発見用信号を送信してもよい。その場合、当該発見用信号の送信先を、当該ＲＮ３００としてもよい。
【００７１】
ステップＳ２０３において、ＲＮ３００は、ＵＥ１００から受信した発見用信号に関する通知をｅＮＢ２００に送信する。当該通知は、ステップＳ２０２においてＲＮ３００が受信した発見用信号と同じでもよい。また、当該通知は、ステップＳ２０２においてＲＮ３００が受信した発見用信号に含まれるＵＥ１００の識別子を含んでいてもよい。ｅＮＢ２００は、かかる通知に基づいて、ＵＥ１００に対する中継伝送を開始すると判断する。ｅＮＢ２００は、ＵＥ１００から通知を受信した後、ＥＰＣ４００からＵＥ１００宛てのデータを受信した場合に、ＵＥ１００に対する中継伝送を開始すると判断してもよい。その後の動作については、上述した実施形態（図７のステップＳ１０６〜１０８）と同様である。また、ＲＮ３００は、ステップＳ２０３の代わりに、ステップＳ２０２において受信した発見用信号の測定結果をｅＮＢ２００に送信してもよい。なお、測定結果には、発見用信号の受信信号強度等を含んでもよい。その場合、ｅＮＢ２００は、ＲＮ３００から受信した測定結果に基づいて、ＵＥ１００に対する中継伝送を開始するか否かを判断してもよい。
【００７２】
なお、上述した実施形態は、主に、ｅＮＢ２００からＵＥ１００へのダウンリンク送信に関するものであるが、ＵＥ１００からｅＮＢ２００へのアップリンク送信にも上記実施形態を適用してもよい。
【００７３】
なお、上述した各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。上述した各処理を実行するためのプログラムを記憶するメモリ及びメモリに記憶されたプログラムを実行するプロセッサによって構成されるチップセットが提供されてもよい。
【００７４】
以上、図面を参照して実施形態について詳しく説明したが、具体的な構成は上述のものに限られることはなく、要旨を逸脱しない範囲内において様々な設計変更等をすることが可能である。
【００７５】
（相互参照）
本願は米国仮出願第62/677296号（２０１８年５月２９日出願）の優先権を主張し、その内容の全てが本願明細書に組み込まれている。
【産業上の利用可能性】
【００７６】
上述した実施形態は、通信分野において有用である。
【図１】
2019230583.tif 000003
【図２】
2019230583.tif 000004
【図３】
2019230583.tif 000005
【図４】
2019230583.tif 000006
【図５】
2019230583.tif 000007
【図６】
2019230583.tif 000008
【図７】
2019230583.tif 000009
【図８】
2019230583.tif 000010
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
第１カバレッジと前記第１カバレッジよりも拡張された部分である第２カバレッジとを有するセルを管理する無線基地局と、
互いに宛先無線端末が異なる複数のデータを前記無線基地局から受信し、前記第２カバレッジ内の複数の無線端末に対して前記複数のデータを一斉送信する無線中継ノードと、
前記第２カバレッジ内に位置し、前記無線基地局又は前記無線中継ノードから送信される１又は複数の制御信号を受信し、前記１又は複数の制御信号に基づいて、自無線端末宛てのデータを前記無線中継ノードから受信するための処理を行う無線端末と、を備える
移動通信システム。
【請求項２】
前記無線端末は、前記無線中継ノードを介さずに前記無線基地局から前記１又は複数の制御信号を受信する
請求項１に記載の移動通信システム。
【請求項３】
前記１又は複数の制御信号は、前記無線中継ノードがデータの一斉送信に用いる無線リソースに関するリソース情報を含む
請求項１に記載の移動通信システム。
【請求項４】
前記無線端末は、前記１又は複数の制御信号に基づいて、前記無線中継ノードが送信する発見用信号に対するサーチを行う
請求項２に記載の移動通信システム。
【請求項５】
前記１又は複数の制御信号は、前記無線中継ノードに関する識別子を含み、
前記無線中継ノードは、前記識別子を含む前記発見用信号を送信し、
前記無線端末は、前記１又は複数の制御信号に含まれる前記識別子に基づいて前記サーチを行う
請求項４に記載の移動通信システム。
【請求項６】
前記１又は複数の制御信号は、前記無線中継ノードが前記発見用信号の送信に用いる無線リソースに関するリソース情報を含み、
前記無線中継ノードは、前記無線リソースを用いて前記発見用信号を送信し、
前記無線端末は、前記１又は複数の制御信号に含まれる前記リソース情報に基づいて前記サーチを行う
請求項４に記載の移動通信システム。
【請求項７】
前記無線端末は、前記サーチによって前記無線中継ノードを発見したと判断した場合に、前記無線中継ノードに関する通知を前記無線基地局に送信する
請求項４に記載の移動通信システム。
【請求項８】
前記無線端末は、前記無線中継ノードを発見した後、前記無線中継ノードと前記無線端末との間の無線状態に関する情報を前記無線基地局に送信する
請求項１に記載の移動通信システム。
【請求項９】
前記無線端末は、前記無線状態の劣化を検知したことに応じて、前記無線状態の劣化を示す情報を前記無線基地局に送信する
請求項８に記載の移動通信システム。
【請求項１０】
前記無線基地局は、前記無線状態の劣化に応じて、前記無線中継ノードを介する中継送信から、前記無線中継ノードを介さない直接送信に切り替えて、前記無線端末宛てのデータを送信する
請求項８に記載の移動通信システム。
【請求項１１】
前記１又は複数の制御信号は、前記無線端末に発見用信号を送信させるための情報を含み、
前記無線端末は、前記１又は複数の制御信号の受信に応じて前記発見用信号を送信し、
前記無線中継ノードは、前記発見用信号を前記無線端末から受信した場合に、前記無線基地局に対する通知を行う
請求項２に記載の移動通信システム。
【請求項１２】
第１カバレッジと前記第１カバレッジよりも拡張された部分である第２カバレッジとを有するセルを管理する無線基地局と、互いに宛先無線端末が異なる複数のデータを前記無線基地局から受信し、前記第２カバレッジ内の複数の無線端末に対して前記複数のデータを一斉送信する無線中継ノードと、を有する移動通信システムにおける無線端末であって、
前記無線端末が前記第２カバレッジ内に位置する場合において、前記無線基地局又は前記無線中継ノードから送信される１又は複数の制御信号を受信する処理と、前記１又は複数の制御信号に基づいて、前記無線端末宛てのデータを前記無線中継ノードから受信するための処理とを行う制御部を備える
無線端末。
【請求項１３】
無線基地局が、第１カバレッジと前記第１カバレッジよりも拡張された部分である第２カバレッジとを有するセルを管理することと、
無線中継ノードが、互いに宛先無線端末が異なる複数のデータを前記無線基地局から受信することと、
前記無線中継ノードが、前記第２カバレッジ内の複数の無線端末に対して前記複数のデータを一斉送信することと、
前記第２カバレッジ内に位置する無線端末が、前記無線基地局又は前記無線中継ノードから送信される１又は複数の制御信号を受信することと、
前記無線端末が、前記１又は複数の制御信号に基づいて、自無線端末宛てのデータを前記無線中継ノードから受信するための処理を行うことと、を含む
方法。
【国際調査報告】
2019230583.tif 000011
2019230583.tif 000012
2019230583.tif 000013
2019230583.tif 000014